【手続補正書】
【提出日】平成27年12月5日(2015.12.5)
【手続補正１】
【補正対象書類名】特許請求の範囲
【補正対象項目名】全文
【補正方法】変更
【補正の内容】
【特許請求の範囲】
【請求項１】
ＬＥＤ素子を利用したＬＥＤ照明装置であって、
前記ＬＥＤ素子に電力を供給する電源回路を収容する電源部と、
前記ＬＥＤ素子が実装されたＬＥＤ基板と、
前記ＬＥＤ基板が収容される筒状の筺体と、
前記電源部と前記筺体とを連結するアーム部と、
前記筐体における前記ＬＥＤ素子の光出射方向に位置する先端縁部に設けられる円筒状の透光性セードと、
を備え、
前記透光性セードは、前記ＬＥＤ素子から出射される光を散乱する第１の散乱部及び第２の散乱部を有し、前記第１の散乱部が前記筺体側に位置し前記第２の散乱部が前記第１の散乱部より光出射方向に位置し、前記第１の散乱部と第２の散乱部とは散乱率が異なるものとなるように前記第１の散乱部と第２の散乱部とは光を散乱させる形状がそれぞれ異なるように設けられ、
前記第１の散乱部及び第２の散乱部は、周方向に沿って間隔がそれぞれ異なる凹凸を有する、ＬＥＤ照明装置。
【請求項２】
前記第１の散乱部は前記第２の散乱部より凹凸の間隔が短い、請求項１に記載のＬＥＤ照明装置。
【請求項３】
前記第１の散乱部及び第２の散乱部のうち少なくとも一方は全周にわたって軸方向に凹凸を有する、請求項１または２に記載のＬＥＤ照明装置。
【手続補正２】
【補正対象書類名】明細書
【補正対象項目名】全文
【補正方法】変更
【補正の内容】
【発明の詳細な説明】
【発明の名称】ＬＥＤ照明装置
【技術分野】
【０００１】
本発明は、ＬＥＤ素子を光源に使用したＬＥＤ照明装置に関するものである。
【背景技術】
【０００２】
近年、環境意識の高まりから、省電力化に優れたＬＥＤ素子を光源に使用したＬＥＤ照明
装置が盛んに用いられるようになってきた。ＬＥＤ照明装置はさまざまな用途に用いられ
てきており、例えば、食品を照らすスポットライトとしても使用することが多くなってき
ている。しかし、ＬＥＤ照明装置は白色ＬＥＤを用いることが多く、７００ｎｍ付近の赤
色付近では演色性が劣る。そのため生鮮食品を照らす場合に食品の色彩を忠実に表現する
ことが難しい。そこで、精肉・鮮魚などに当てるＬＥＤスポットライトには白色ＬＥＤと
赤色ＬＥＤを混在させた光源を使用して演色性を高めたものが存在する。
【０００３】
例えば特許文献１に記載されているＬＥＤ照明器具では、異なる色温度を有する複数の
白色ＬＥＤと赤色ＬＥＤとを備えて、ＬＥＤからの光が混光するように配設された構成が
開示されている。
また特許文献２に記載されているＬＥＤ照明装置では、複数の白色ＬＥＤと一又は複数
個の赤色ＬＥＤを備えて、赤色ＬＥＤの周りに白色ＬＥＤが配置された構成が開示されて
いる。
【先行技術文献】
【特許文献】
【０００４】
【特許文献１】特開２０１２−００３０９８号
【特許文献２】特許第４３９９６６３号
【発明の概要】
【発明が解決しようとする課題】
【０００５】
しかしながら、特許文献１に記載されているＬＥＤ照明器具では、照明器具先端のコーン
部が照明器具側面部を覆うように設けられるため、ＬＥＤ光源からの光は生鮮食品へ照射
されるが、照明器具側面側へはＬＥＤ光源からの光は出射されない。このため、生鮮食品
用スポットライトとして使用する場合を考えたときに、生鮮食品の鮮度を忠実に表現でき
る効果があるものの、スポットライトの光が側面に出射されない為、生鮮食品を購入する
消費者は、生鮮食品売場がどこにあるのかを遠くから特定することは困難である。
特許文献２に記載されているＬＥＤ照明装置においても、同様の構成が開示されている為
、やはり消費者が生鮮食品の売り場を特定することは困難である。
【０００６】
本発明は、以上のような課題を解決するため鋭意検討した結果なされたものであり、
例えば生鮮食品を照らしている場所を遠くからでも分かるようなＬＥＤ照明装置を提供するものである。
【課題を解決するための手段】
【０００７】
上記課題を解決するため、本願発明に係るＬＥＤ照明装置は、ＬＥＤ素子に電力を供給する電源回路を収容する電源部と、ＬＥＤ素子が実装されたＬＥＤ基板と、ＬＥＤ基板が収容される筒状の筺体と、電源部と筺体とを連結するアーム部と、筐体におけるＬＥＤ素子の光出射方向に位置する先端縁部に設けられる円筒状の透光性セードと、を備え、透光性セードは、ＬＥＤ素子から出射される光を散乱する第１の散乱部及び第２の散乱部を有し、第１の散乱部が筺体側に位置し第２の散乱部が第１の散乱部より光出射方向に位置し、第１の散乱部と第２の散乱部とは散乱率が異なるものとなるように第１の散乱部と第２の散乱部とは光を散乱させる形状がそれぞれ異なるように設けられ、第１の散乱部及び第２の散乱部は、周方向に沿って間隔がそれぞれ異なる凹凸を有する。
【０００８】
また、前記第１の散乱部は前記第２の散乱部より凹凸の間隔が短くてもよい。
【０００９】
そして、前記第１の散乱部及び第２の散乱部のうち少なくとも一方は全周にわたって軸方向に凹凸を有してもよい。
【発明の効果】
【００１０】
本発明によれば、ＬＥＤ素子から出射される光が透光性セードを通して外部に光を出射されるとともに、散乱部で光が散乱されることによって、遠くからでもスポットライトの位置を認識することが容易になる。
【図面の簡単な説明】
【００１１】
【図１】本実施形態に係わるＬＥＤ照明装置の外観図
【図２】本実施形態に係わるＬＥＤ照明装置の三面図であり、（ａ）は正面図、（ｂ    ）は側面図、（ｃ）は背面図である。
【図３】本実施形態に係わるＬＥＤ照明装置のスポットライト部の下半分の断面図
【図４】本実施形態に係わるＬＥＤ照明装置の電源部の断面図
【図５】本実施形態に係わるＬＥＤ照明装置のスポットライト部を上側から見た分解    斜視図
【図６】本実施形態に係わるＬＥＤ照明装置の透光性セードの斜視図であり、（ａ）    〜（ｄ）はそれぞれ別の実施形態を示している。
【図７】本実施形態に係わるＬＥＤ照明装置の接続部の上面図
【図８】本実施形態に係わるＬＥＤ照明装置の接続部の斜視図
【発明を実施するための形態】
【００１２】
以下に本発明の好適な実施の形態について、図面を参照しながら説明する。なお本実施
形態は一例であり、これに限定されるものではない。
【００１３】
本実施形態に係わるＬＥＤ照明装置１００は、図１に示すとおりスポットライト部１と
、アーム部２と、電源部３とから構成され、天井に取り付けられるダクトレール４に取り
付けられて使用される。ダクトレール４の取付けは、天井に限らず壁や床であっても良い
。
【００１４】
スポットライト部１は、図５に示すように、筐体１５と、この筐体１５の前面部に放熱
性を有する絶縁シート１６を介して、ネジ２２により固定されるＬＥＤ基板１３と、この
ＬＥＤ基板１３を覆うように設けられ、ネジ２３によって筐体１５に固定される集光レン
ズ１７と、筐体１５の先端縁部に装着されＬＥＤ基板１３と集光レンズ１７の前方外周部
を覆うことができる透光性セード１４とを備えている。なお、透光性セード１４は、筐体
１５の後方から取り付けられる。取り付けは透光性セード１４と筐体１５をネジ止めする
ことで実現する。取り付け方法はネジ止めに限らず、はめ込みや接着などでもよい。また
、透光性セード１４を筐体１５の前方から取り付けてもよい。
【００１５】
図２（ａ）はＬＥＤ照明装置１００を正面から見た正面図である。前記ＬＥＤ基板１３
には複数の白色ＬＥＤ素子１１（第１のＬＥＤ素子）と複数の赤色ＬＥＤ素子１２（第２
のＬＥＤ素子）がＬＥＤ基板１３上に実装され、紙面手前側に光が出射されることにより
対象物を照らす。ＬＥＤ基板１３の周囲には透光性のセード１４が設けられ、ＬＥＤ素子
１１、１２から出射される光の一部を散乱して紙面前面方向に光を散乱させる。これによ
り透光性セード１４の側面がＬＥＤ素子の光で、いわゆる「きらきら感」を出し、遠方か
らの視認性が良くなる。
【００１６】
ＬＥＤ基板１３はＬＥＤ素子１１，１２の発光を効率よく出射するためレジスト層が白色
であっても良い。また、白色ＬＥＤ素子１１と赤色ＬＥＤ素子１２の配列形態や配列個数
は設置場所等に応じて任意に選択できる。なお、ここでは白色ＬＥＤ素子１１と赤色ＬＥ
Ｄ素子１２を使用しているが、設置場所等に応じて色波長の異なる他の発光色ＬＥＤ素子
を使用してもよい。
【００１７】
前記筐体１５は、胴部全体が略半筒状に形成されるとともに前端部が円盤状に形成され
ており、胴部にはＬＥＤ素子１１，１２で発生する熱を放熱するためのヒートシンク１５
ａ（図２（ｃ）参照）が形成されている。ヒートシンク１５ａは表面積を大きくするため
板状（フィン状）に形成されているが、図２（ｃ）に示すように、一部、円柱部１５ｂを
設けている。これはＬＥＤ素子１１，１２から発生する熱を伝達しやすくする事によりヒ
ートシンク１５ａ全体に熱を伝え、放熱の効率を上げるためである。また、筐体１５には
後述するアーム部２が関節部２１を介して取り付けられている。
【００１８】
筐体１５はアルミニウムを用いているが、金属材料に限定されず、熱伝導性の顔料を充填
した熱伝導性樹脂を使用しても良い。この場合は前記放熱性絶縁シート１６をＬＥＤ基板
１３と筐体１５との間に設けなくても良い。また、筐体１５とヒートシンク１５ａは本実
施例では一体に形成されているが、別々の部材で構成されていても良い。
【００１９】
前記筐体１５の前面部（出射光側）には前述のように放熱性絶縁シート１６を介してＬ
ＥＤ基板１３が配置され、ＬＥＤ基板１３の前面部（主射光側）に集光レンズ１７が配置
される。
絶縁放熱シート１６は、ＬＥＤ素子１１，１２で発生する熱を筐体１５に効率よく伝える
とともに、ＬＥＤ基板１３と筐体１５とを絶縁させることでＬＥＤ基板１３上の回路が短
絡することを防止している。
また、集光レンズ１７は、ＬＥＤ素子１１、１２から出射される光を出射方向に集めるた
めに設けられる。集光レンズ１７は、周囲を囲う壁部１７ａと、ＬＥＤ素子１１，１２の
実装される位置に対応して設けられる凸部１７ｂから構成される。凸部１７ｂにはＬＥＤ
素子１１、１２が凸部の中に格納されるように凹部１７ｃが形成され、ＬＥＤ素子１１，
１２が中に入る形状となっている。ＬＥＤ素子１１，１２から出射された光は、集光レン
ズ１７の凸部１７ｂによって出射方向に集められることで、集光レンズ１７が無い場合よ
り光が出射方向に進む。
【００２０】
前記透光性セード１４は、全体がフード状に形成されており、ＬＥＤ素子１１，１２か
ら出射される光を散乱させるため、図３（ｂ）に示すように、内周面部に第１の散乱部１８が形成されている。また、散乱をより効果的に行うため透光性セード１４の出射光側端
縁部の内面部にも第２の散乱部１９を形成しても良い。
図３（ｂ）では、第１の散乱部１８は透光性セード１４の一部（内面奥部）に形成され
ているが、透光性セード１４の内面全面に形成してもよい。またＬＥＤ素子１１，１２か
らＬＥＤ基板１３と平行方向に出射される光を散乱させることができるように、筐体１５
と透光性セード１4とが接する部分まで第１の散乱部１８を形成させても良い。
【００２１】
さらに、本実施例では透光性セード１４に第１の散乱部１８，１９を形成させているが、
透光性セード１４とは別の部材で形成された散乱部を透光性セード１４に取り付けても良
い。
【００２２】
図６は、透光性セード１４に形成される散乱部１８及び第２の散乱部の各種形状を示し
たものである。図６（ａ）の散乱部１８は、断面三角形の切子面１８ａと断面台形状の切
子面１８ｂとが内周面方向に連続するように形成される。第２の散乱部１９は断面三角形
の切子面が先端内周面部に連続して形成されている。第２の散乱部１９を設けることで、
より光を散乱させることが可能となる。第２の散乱部は三角柱以外にも断面が半円状でも
多角形状であっても、光を散乱させる形状であれば良い。
【００２３】
図６（ｂ）は、図６（ａ）の第１の散乱部１８に比べて切子面の面積が小さくし、図６ (
ａ)の散乱部１８ｂの前方側に針状の散乱部１８ｃを更に形成した例を示している。図６
（ｃ）の第１の散乱部１８は、四角錘状に凹凸を形成したものである。図６（ｄ）に示す
ように、四角錘の形状を小さくしても良い。
【００２４】
前記アーム部２は、スポットライト部１と電源部３とを接続し、アーム部２の中間に関
節部２１（図２）を有している。この関節部２１によってスポットライト部の光の出射方
向を上下方向に調整することが可能となる。また、アーム部２と電源部３の前方に設けら
れる接続部２２によってスポットライト部１は水平方向に回転させることができ、関節部
２１と接続部２２とで上下、水平方向にスポットライト部１の向きを調整することが可能
となる。
【００２５】
図７、図８は、アーム部２と電源部３とを接続する際に使用する接続部２２について図
示したものである。接続部２２は、中心部に貫通孔２８を有する第１の円盤部２５と、第
１の円盤部２５より径が小さく、前記貫通孔を共通中心軸とする第２の円盤部２６とが重
なった形状からなる。接続部２２は、回動可能となるように第１の円盤部２５側が電源部
３に取り付けられる。また、アーム部２は回動可能となるようにアーム部２に設けた回転
軸が円盤部２６に挿入されることで第２の円盤部側２６に取り付けられる。
【００２６】
図７に示すように、第１の円盤部２５には、中心角がα度となるような切欠部２６ａが設
けられ、電源部３に設けられる突起部２７が切欠部２６ａに干渉するように配置される。
突起部２７と第１の円盤部２５の切欠部２６ａとによって接続部２２の回動範囲がα度に
制限される。
また、第２の円盤部２６には、中心角がβ度となるような切欠部２５ａが設けられ、アー
ム部２と第２の円盤部２６の切欠部２５ａとによって、アーム部２の回動範囲がβ度に制
限される。このとき、α＋β＞３６０°となるようにそれぞれの値を選択する。
【００２７】
アーム部２の回動範囲と接続部２２自体の回動範囲が第１の円盤部２５に設けられる切欠
部２５ａと第２の円盤部２６に設けられる切欠部２６ａとによって、それぞれ独立に回動
が規制されるため、スポットライト部１の電源部３に対する回転角度は、α＋β度となる
。前述したようにα＋β＞３６０°の関係があるため、スポットライト部１の回動範囲は
３６０度より大きくか移動することが可能となり、照明を試用できる範囲に死角が発生しない。
【００２８】
前記電源部３は、端子付き取付部３１ａを有しており、ダクトレール４に電源部３を取
付部３１ａで固定させるとともに、電源端子付き取付部３１ａを介して後述する電源部３
内の電源基板（不図示）に電力を供給する。
【００２９】
電源部３は、端子付き取付部３１ａで入力される交流電源から直流電源に変換する。電源
部３の内部には、交流電源を直流電源に変換する変換回路が搭載される電源基板（不図示
）が内蔵されている。電源部３の側面には波状の加工がされている。これは、内部で発生
する熱を効率よく放熱させるためである。電源部３の上方には、前方側から端子付き取付
部３１ａ、取付部３１ｂ、３１ｃがそれぞれ設けられる。これら取付部３１ａ、３１ｂ、
３１ｃをダクトレール４に取り付けることで、ＬＥＤ照明装置１００をダクトレール４に
固定させる。本実施例では、端子付き取付部３１ａは前方に設けられているが、位置は特
に限定されない。また、本実施例では３箇所に取付部を有しているが、ＬＥＤ照明装置１
００をダクトレール４に固定させることができればよいので取付部の数は３箇所に限定さ
れることは無い。
【００３０】
図４（ａ）のＢ−Ｂにおける電源部３の断面図を図４（ｂ）として図示する。電源部３
の内部には、端子付き取り付け部３１ａより入力される交流電源を直流電源に変換する変
換回路が搭載される電源基板２０が設けられる。電源基板２０は、絶縁シート２０ａに囲
まれた状態で電源部３内に配置される。
【００３１】
以上のように、本実施形態によれば演色性の良い光を照射するとともに、セードに設け
られる散乱部による光の散乱によって、遠くからでも認識可能なＬＥＤ照明装置を提供す
ることが可能である。
【００３２】
（その他）
上記実施形態から把握しうる、特許請求の範囲に記載された発明以外の技術的思想について以下に効果とともに記載する。
（Ａ）電源部との接続部を有する筐体と、前記筐体の出射光側に配置されるとともに、第1のＬＥＤ素子と、該第1のＬＥＤ素子と波長の異なる第２のＬＥＤ素子が実装されたＬＥＤ基板と、前記筐体の出射光側に設けられ、前記ＬＥＤ素子の出射光を散乱させる散乱部を有する透光性セードと、を有することを特徴とするものである。
（Ｂ）前記透光性セードの散乱部は、該セードと一体成形されていることを特徴とするものである。
（Ｃ）前記ＬＥＤ基板と前記筐体との間に、放熱性の絶縁シートを有することを特徴とするものである。
（Ｄ）前記筐体にはヒートシンクが形成されることを特徴とするものである。
（Ｅ）前記ＬＥＤ基板の出射光側を覆うように集光レンズを設けたことを特徴とするものである。
（Ｆ）前記透光性セードの散乱部が多面体形状であることを特徴とするものである。
（Ｇ）前記透光性セードの散乱部が四角錐形状であることを特徴とするものである。
（Ｈ）前記透光性セードの散乱部がマイクロレンズアレイ形状であることを特徴とするものである。
（Ｉ）前記透光性セードの出射光側の端縁部に第２の散乱部が設けられたことを特徴とするものである。
（Ｊ）電源部との接続部を有する筐体と、前記筐体の出射光側に配置されるとともに、第1のＬＥＤ素子と、該第1のＬＥＤ素子と波長の異なる第２のＬＥＤ素子が実装されたＬＥＤ基板と、前記筐体の出射光側に設けられ、前記ＬＥＤ素子の出射光を散乱させる散乱部を有する透光性セードと、を有するスポットライト部と、前記スポットライト部に電力を供給する電源部と、前記スポットライトと接続されるアーム部と、前記アーム部と前記電源部とを回動可能に接続する接続部と、を有することを特徴とするものである。
（Ｋ）前記電源部と前記アーム部とを回動可能に接続する接続部を更に有し、回動範囲が３６０度より大きいことを特徴とするものである。
（Ｌ）前記接続部は、貫通孔を有するとともに中心角αの切欠部を有する第１の円盤部と、前記第１の円盤部より径が小さく、かつ中心角βの切欠部を有するとともに前記貫通孔を共通中心軸とする第２の円盤とからなることを特徴とするものである。
（Ｍ）前記中心角αと前記中心角βとは、α＋β＞３６０°の関係を有することを特徴とするものである。
【００３３】
上記（Ａ）に記載の技術的思想によれば、第１のＬＥＤ素子と第２のＬＥＤ素子から出射される光が透光性セードを通して外部に光を出射されるとともに、散乱部で光が散乱されることによって、遠くからでもスポットライトの位置を認識することが容易になる。
上記（Ｂ）に記載の技術的思想によれば、透光性セードと第１の散乱部が同一部材で形成されることによって、透光性セードと第１の散乱部とを別々に作成することなく、一体形成することが可能となるので加工が容易になり、加工にかかるコストを抑制することができる。
上記（Ｃ）に記載の技術的思想によれば、ＬＥＤ素子が搭載されるＬＥＤ基板と、筐体との間に絶縁放熱シートを介在させることにより、ＬＥＤ素子が発光することで発生する熱を筐体側に効率よく伝達させることができ、更に熱によるＬＥＤ素子の劣化を防止することができる。
上記（Ｄ）に記載の技術的思想によれば、筐体にヒートシンクが形成されることによってＬＥＤ素子が発光することで発生する熱がヒートシンクを通して効率よく放熱されることが可能となる。
上記（Ｅ）に記載の技術的思想によれば、集光レンズを設けることによってＬＥＤ素子から出射される光を、出射方向に集めることによりライトを当てる対象物をより明るく照らすことが可能となる。
上記（Ｆ）、（Ｇ）、または（Ｈ）に記載の技術的思想によれば、散乱部を多面体形状もしくは四角錘形状またはマイクロレンズ形状に形成し、透光性のセードに凹凸をつけることで容易に散乱部を形成することが可能となる。
上記（Ｉ）に記載の技術的思想によれば、透光性セードの出射光側の端縁部に第２の散乱部を設けることによって、ＬＥＤ素子から出射される光を散乱部で散乱される光とは異なる方向に散乱させることができるので、視認性が更に向上する。
上記（Ｊ）、（Ｋ）、（Ｌ）、または（Ｍ）に記載の技術的思想によれば、透光性セードを有するスポットライト部が電源部に対して３６０度以上回動する接続部を設けることによって、死角の無いスポットライト部の回動が可能となる。
【符号の説明】
【００３４】
１００  ＬＥＤ照明装置
１  スポットライト部
２  アーム部
３  電源部
４  ダクトレール
１１  第１のＬＥＤ素子
１２  第２のＬＥＤ素子
１３  ＬＥＤ基板
１４  透光性セード
１５  筐体
１５ａ  ヒートシンク
１５ｂ  円柱部
１６  絶縁放熱シート
１７  集光レンズ
１７ａ  壁部
１７ｂ  凸部
１７ｃ  凹部
１８  第１の散乱部
１８ａ  第１の三角形の切子面
１８ｂ  台形状の切子面
１８ｃ  第２の三角形の切子面
１９  第２の散乱部
２０  電源基板
２０ａ  絶縁シート
２１  関節部
２２  接続部
２３、２４  ねじ
２５  第１の円盤部
２５ａ  切欠部
２６  第２の円盤部
２６ａ  切欠部
２７  突起部
２８  貫通孔
３１ａ  端子付き取付部
３１ｂ、ｃ  取付部
３２  電源基板